(57)【要約】      （修正有）【課題】市販されているコマセを入れる「ばっかん」はコマセが残り少なくなると軽くなり、撒き餌びしゃくでコマセをすくう時、「ばっかん」を手や足で押さえていないと移動してしまって、すくうことが困難になる。また、軽くなった「ばっかん」は突風で海へ吹き飛ばされることがある。【解決手段】使用時は「ばっかん」を重くし、仕舞い時には軽い「ばっかん」にする為、錘の付け外しが出来る外バッグ１と、コマセを入れる内バケツ２の二重から成る「ばっかん」とした。（１）作動させる時は外バッグ１に錘の水又は海水８を指定線まで入れ、内バケツ２の底の折たたみ出来る支柱版４を伸ばし、指定線まで高くし、外バッグ１へ入れ、ゴムバンド６で固定すれば、内外が一体化した錘付きの「ばっかん」になる。（２）仕舞い時は錘に使った水又は海水８を投棄し、内バケツの支柱版４を折たたみ低くして、錘を投棄した外バッグ１へ納めれば、軽い「ばっかん」になる。【選択図】図１
2010022346.tif 000002
【特許請求の範囲】
魚釣りに使用する，撒き餌用「ばっかん」である。
市販の「ばっかん」は，コマセが残りが少なくなると，軽くなり，撒き餌びしゃくで，コマセをすくう時，手や足等で押さえないと，「ばっかん」は，簡単に動き，コマセがすくい難い。又海では，たまの突風で軽くなった「ばっかん」は海へ吹き飛ばされる事が有る。
【請求項１】
本発明は，釣りに使う，コマセを入れる，内バケツと，錘を入れる外バッグを組合わせ，一体化した，二重から成る「ばっかん」としたのが，特徴である。
コマセが残り少なくなっても，動き難い「ばっかん」にする為，錘を，入れる，外バッグと，コマセを入れる，内バケツを，組み合わせ，外バッグに錘を入れ，その中に，コマセを入れた内バケツを入れ，外バッグと，緊結する事により，この二重「ばっかん」は，一体となり動き難い「ばっかん」としたのが特徴である。
【請求項２】
本発明の「ばっかん」は，錘として，水又は海水を使用したのが特徴である。
現地で簡単に，「ばっかん」を重くしたり，軽くしたりが出来る。
【請求項３】
本発明の「ばっかん」は，コマセを入れる内バケツの底に，折たたみの出来る，支柱版を取り付，作動時には，高くし，仕舞い時には，低く出来る様にしたのが特徴である。
使用時に，外バッグへ錘として，水又は海水を指定線迄入れると，内バケツは，その分高くする必要がある，そこで，支柱版を，伸ばし高くし，外バッグの中に納め，外バックに付いている，ゴムバンドで固定すれば，本発明の二重「ばっかん」は，一体化し，動き難い「ばっかん」になる。
又，仕舞い時は，外バッグの水又は海水を投棄し，軽くし，内バケツの支柱版を折たたみ，低くして外バッグに収納すれば，内バケツは，外バッグに納まり，普通の軽い，「ばっかん」として使用出来る。
【請求項４】
本発明の「ばっかん」は，二重から成る「ばっかん」であるが，組み立と，仕舞いが，上記の方法で簡単に出来るのも特徴である。
【発明の詳細な説明】
【技術分野】
【０００１】市販の「ばっかん」は，コマセが残り少なくなると，軽くなり撒き餌びしゃくで，コマセをすくう時，手や足で押さえないと「ばっかん」が動き，コマセがすくい難い，又海ではたまの，突風で，軽くなった「ばっかん」は海へ吹き飛ばされる
（１）本発明は  外バッグと内バケツを組合わせた，二重の「ばっかん」とし，外バッグに錘を付ける役目を，内バケツは，コマセを入れる役目を分担させ，内バケツと外バッグを，緊結し，一体化した，錘の付いた「ばっかん」とした。
（２）外バッグに，使用する，錘は，付け，外しが，簡単で且，調達し易く，使い易い水又は海水を利用した。
（３）使用する時，コマセの入った内バケツは，外バッグに錘の入った分丈高する必要がある。そこで内バケツの底に，折たたみ出来る支柱版を付け，高く出来る様にして解決した。
使用時には，内バケツの，支柱版を伸ばし，内バケツの底を，指定線迄，高くし錘の入った，外バッグに入れ，バッグに付いている，ゴムバンドで固定すれば，二重「ばっかん」は一体化し動き難い「ばっかん」になった。，
（４）この二重ばっかんを，仕舞う時は，錘に使用した，水又は海水を投棄し，内バケツの，支柱版を，折たたみ，外バッグより，低くして，収納すれば，普通の「ばっかん」として使用出来る様にした。
【背景技術】
【０００２】市販の「ばっかん」は，コマセが残り少なくなると，軽くなり，撒き餌びしゃくで，コマセを，すくう時，手や足で，ばっかんを，押さえないと，簡単に動き，コマセ，がすくい難い。又海では時たまの突風で，軽くなった「ばっかん」は，海中へ吹き飛ばされる。この欠点を，解決する必要に，迫られた。
（１）上記の欠点を，解決する為め，「ばっかん」を二重にし，外バッグの底へ，水又は海水を入れ，錘とし，動き難くする事にした。
（２）錘の付いた二重「ばっかん」を，一体化する為，コマセを入れる内バケツに，折たたみ出来る，支柱版を取り付け，使用時には，支柱版を伸ばし，高くし，外バッグへ入れ，外バッグのゴムバンドで，固定し，一体化した動き難い「ばっかん」とした。
（３）仕舞いは「外バッグの錘を，投棄し，内バケツの支柱版を折たたみ，低くし，外バッグへ収納すれば，軽い「ばっかん」となり，普通のバッグとして使用出来る。
【特許文献】
【０００３】
【発明の開示】
【発明が解決しようとする課題】
【０００４】市販の「ばっかん」は，コマセが残り少なくなると，軽くなり，撒き餌びしゃくで，コマセを，すくう時，手や足で，「ばっかん」を押さえないと，簡単に動き，コマセがすくい難い。又，海では時たまの突風で，軽くなった「ばっかん」は海中へ吹き飛ばされる。
以上の事柄を解決する必要がある。
【課題を解決するための手段】
【０００５】（１）解決手段として，外バッグと内バケツを組み合わせた，二重「ばっかん」とし外バッグの底へ錘を付ける事とした，
錘は，現地で水か海水を外バッグの指定線迄入れ，その中に，内バケツを組み込み，外バッグと緊結し，一体化させ，動き難い，二重「ばっかん」とした。
（２）この二重「ばっかん」を，使用する時，内バケツは外バッグの，錘の入った分だけ，高くする必要がある，そこで，内バケツの底に，伸び，縮み，出来る支柱版を取り付け，使用時には，内バケツの，支柱版を，指定線迄伸ばして高くし，錘の入った外バッグへ入れ，外バッグに付けたゴムバンドで固定し，一体化させ，動き難い二重「ばっかん」とした。
（３）この二重「ばっかん」の，仕舞いは，錘に使用した，水又は海水を，投棄し，内バケツの，支柱版を，たたみ，低くし，外バッグへ納めれば，軽くなり，市販の「ばっかん」と同じ様に，使用出来る。
【発明の効果】
【０００６】（１）この二重「ばっかん」は，錘が付いた事により，コマセが，少なくなっても，簡単に移動し難くなり，撒き餌びしゃくを使用する時き手や足で押さえる必要がなくなった。又突風により「ばっかん」が海中に吹き飛ばされる事がかくなり，手足が自由に使える様になった。
（２）この二重「ばっかん」は，使用の時も，仕舞いの時も，前記の様に，簡単な構造なので，組み立て，仕舞いが，苦にならない。
（３）この「ばっかん」は支柱版を折たためば，外バッグに簡単に納まり普通の「ばっかん」と変わりなく使用出来る。
【実施例１】
【０００７】本発明品は，外バッグ▲１▼と，内バケツ▲２▼を，組み合わせて，一体化した，「ばっかん」である。使用時に，コマセが，残り少なくなっても多少の外力では，動き難い様に，外バッグ▲１▼へ，錘として，水又は海水▲８▼を，指定線迄入れ  内バケツ▲２▼の，支柱版▲４▼を，伸ばし，高くし，外バッグ▲１▼へ，入れ，外バッグに付けたゴムバンド▲６▼で，固定すればコマセが，残り少なくなっても（作動図）動き難く，多少の，突風では飛ばされない。
仕舞いは，外バッグ▲１▼の，錘にした，水又は海水▲８▼を，投棄し内バケツ▲２▼の，支柱版▲４▼を，折たたみ，低くして（仕舞図）内バケツ▲２▼を，外バッグ▲１▼の，中に納めれば普通の「ばっかん」として使用出来る。
（１）本発明品を使用してみて，コマセが残り少なくなっても，錘が付いているのでコマセを，撒き餌びしゃくですくう時に，手や足で，押さえる，必要がなくなり，両手が自由に使える様になった。又突風で「ばっかん」が吹き飛ばされる事も無くなった。
（２）本発明品を使用してみて，組み立て，仕舞いが，簡単に出来，使いやすい。
【図面の簡単な説明】
【０００８】
【図１】本発明の側面断面図で有る  左半分は，「ばっかん」として，使用時の，図である。右半分は，仕舞い時の，図である。
【図２】本発明の正面断面図で有る  左半分は，「ばっかん」として，使用時の，図である。右半分は，仕舞い時の，図である。
【符号の説明】
【０００９】▲１▼  外バッグ
▲２▼  内バケツ
▲３▼  支柱版の開き止め
▲４▼  折たたみ式支柱版
▲５▼  支柱版の左右へのズレ防止桟
▲６▼  内バケツを固定するゴムバンド
▲７▼  蝶番（折たたみ式支柱版）
▲８▼  錘の水又は海水
▲９▼  内バケツ補強リブ，又，収納時に外バッグへ引っかからなに様付けたリブ
▲１０▼  外バッグの手提げ用紐通し鳩目
【図１】
2010022346.tif 000003
【図２】
2010022346.tif 000004
【手続補正書】
【提出日】平成20年9月22日(2008.9.22)
【手続補正２】
【補正対象書類名】特許請求の範囲
【補正対象項目名】全文
【補正方法】変更
【補正の内容】
【特許請求の範囲】
【請求項１】
本発明は，釣りに使う，コマセを入れる，内バケツと，錘を入れる外バッグを組み合わせ，一体化した，二重から成る「ばっかん」としたのが，特徴である。
コマセが残り少なくなっても，動き難い「ばっかん」にする為，錘を入れる，外バッグと，コマセを入れる，内バケツを，組み合わせ，外バッグに錘を入れ，その中に，コマセを入れた内バケツを入れ，外バッグと，緊結する事により，この二重「ばっかん」は，一体となり動きに難い「ばっかかん」としたのが特徴である
【請求項２】
本発明の「ばっかん」は，錘として，水又は海水を使用下のが特徴である。
現地で簡単に，「ばっかん」を重くしたり，軽くしたりが出来る。
【請求項３】
本発明の「ばっかん」は，コマセを入れる内バケツの底に，折たたみの出来る，支柱版を取り付，作動時には，高くし，仕舞い時には，低く出来る様にしたのが特徴である。
使用時に，外バッグへ錘として，水又は海水を指定線迄入れると，内バケツは，その分高くする必要がある，そこで，支柱版を，伸ばし高くし，外バッグの中に納め，外バックに付いている，ゴムバンドで固定すれば，本発明の二重「ばっかん」は，一体化し，動き難い「ばっかん」になる。
又，仕舞い時は，外バッグの水又は海水を投棄し，軽くし，内バケツの支柱版を折たたみ，低くして外バッグに収納すれば，内バケツは，外バッグに納まり，普通の軽い，「ばっかん」として使用出来る。
【請求項４】
本発明の「ばっかん」は，二重から成る「ばっかん」であるが，組み立と，仕舞いが，上記の方法で簡単に出来るのも特徴である。